(57)【要約】 【課題】  本発明は、製本等のため用紙を四つ折りまたは八つ折り等、所用の形態に折り曲げるための紙折り機であって、紙折りのための羽根の、突当て用としての使用とガイド用としての使用の切換えが、極めて簡便に行われるようにした紙折り機の提供を図ったものである。【解決手段】 フレームＦの前端の両側部に付設した軸受け片131に制御用横長孔131aを開設し、当該両軸受け片131の夫々の内側に位置させた回動制御レバー132の中央部に設けた枢軸132aを、当該制御用横長孔131aに対して差し込むことによって、当該回動制御レバー132を回転自在にしてかつ横方向に摺動自在に支持すると共に、前記したガイド用軸体129の両端面の先端寄りに突設した連動用ピン129cを、上記回動制御レバー132の先端寄りに回転自在に枢着し、更に、上記した回動制御レバー132及びガイド用軸体129には夫々復元用スプリング133,134を設ける。【選択図】  図２
2009120349.tif 000002
【特許請求の範囲】
【請求項１】
「突当て用」と「ガイド用」の何れかの機能選択を切換え的に行うようにした羽根を供えた紙折り機であって、そのための羽根として、フレーム(F)に対して、「突当て用」として機能させるための突当て用爪状片(126ａ…)を櫛歯状に形成した突当て用桟(126)を、前後進自在に取付けた紙折り機において、
「ガイド用」として使用した際のガイド面129ａを上面に形成し、「突当て用」として使用した際の受け入用紙の案内面として役割を果すと共に、上記した突当て用桟(126)に取付けた操作用突起片(130，130)による押圧を受けて回動させるための回動用カム面129ｂを形成し、かつフレームＦの前端面ほぼ全長位置亘って位置する長さを具えたガイド用軸体(129)を、
フレームＦの前端の両側部に付設した軸受け片(131)に制御用横長孔(131a)を開設し、当該両軸受け片(131)の夫々の内側に位置させた回動制御レバー(132)の中央部に設けた枢軸(132a)を、当該制御用横長孔(131a)に対して差し込むことによって、当該回動制御レバー(132)を回転自在にしてかつ横方向に摺動自在に支持すると共に、
前記したガイド用軸体(129)の両端面の先端寄りに突設した連動用ピン(129c)を、上記回動制御レバー(132)の先端寄りに回転自在に枢着し、
更に、上記した回動制御レバー(132)及びガイド用軸体(129)には夫々復元用スプリング(133,134)を設け、
上記のような構成を具えた羽根を着脱自在に取付けることを特徴とする紙折り機。
【請求項２】
「突当て用」と「ガイド用」の何れかの機能選択を切換え的に行うようにした羽根を供えた紙折り機であって、そのための羽根として、
前面部を開口面とする矩形状を呈するフレーム(Ｆ)内を、上位側レール杆(124…)と、当該上位側レール杆(124…)とに対して所定間隔を保って上下に対応する下位側レール杆(125…)を架設することによって、当該両レール間を紙材受入用間隙(Ｓ)とすると共に、当該両レール(124…，125…)はフレーム(Ｆ)の横幅方向に所定の案内用溝状間隔(Ｐ…)を設けた状態で並べて設けることによりスノコ状を呈するように配設し、
当該案内用溝状間隔(Ｐ…)内に摺動自在に嵌め込むための突当て用爪状片(126ａ…)を櫛歯状に形成した突当て用桟(126)を、その各突当て用爪状片(126ａ…)が、各案内用溝状間隔(Ｐ…)内に突入された状態でフレーム(Ｆ)の前後方向に移動可能とするように取付けると共に、当該各突当て用爪状片(126ａ…)は紙材受入用間隙(Ｓ)の下面側に突出させることにより、当該間隙(Ｓ)内に導かれた紙材に対する突当て可能に臨ませ、
更に、上面側をガイド面(129ａ)とし下面側を回動用カム面(129ｂ)としかつフレーム(Ｆ)の前端面ほぼ全長に亘るような長さを具えたガイド用軸体(129)を、当該フレーム(Ｆ)の前端面部分に後述するような手段に基づき回動かつ前進可能に自在に取り付け、
当該ガイド用軸体(129)は通常は前記紙材受入用間隙(Ｓ)を開放した状態に位置し、その回転に伴いガイド面(129ａ)でフレーム(Ｆ)の前端面を閉鎖する状態に位置することにより当該紙材受入用間隙(Ｓ)を閉鎖してそのガイド面(129ａ)が「羽根のガイド面」として機能するように構成し、
前記突当て用桟(126)には操作用突起片(130)を突設し、当該突当て用桟(126)をフレーム(Ｆ)の前端寄りに前進させることによる当該操作用突起片(130)の押圧力に基づき、前記のようなガイド用軸体(129)を回動させるように構成し、
上記したガイド用軸体(129)の取付け手段として、フレーム(Ｆ)の前端の両側部に付設した軸受け片(131)に制御用横長孔(131a)を開設し、当該両軸受け片(131)の夫々の内側に位置させた回動制御レバー(132)の中央部に設けた枢軸(132a)を、当該制御用横長孔(131a)に対して差し込むことによって、当該回動制御レバー(132)を回転自在にしてかつ横方向に摺動自在に支持すると共に、前記したガイド用軸体(129)の両端面の先端寄りに突設した連動用ピン(129c)を、上記回動制御レバー(132)の先端寄りに回転自在に枢着し、更に、上記した回動制御レバー(132)及びガイド用軸体(129)には夫々復元用スプリング(133,134)を設けるように構成し、
上記のような構成を具えた羽根を着脱自在に取付けることを特徴とする紙折り機。  
【発明の詳細な説明】
【技術分野】
【０００１】
本発明は、製本等のため用紙を四つ折りまたは八つ折り等所用の形態に折り曲げるための紙折り機であって、紙折りのための羽根の、「突当て用」としての使用と「ガイド用」としての使用の切換えが、極めて簡便に行われるようにした紙折り機に関する。
【背景技術】
【０００２】
紙折り機において、製本等のために用紙を四つ折りまたは八つ折り等、所用の形態に折り曲げる紙折り機において、一枚ずつ送られてくる用紙の「ガイド用」として、または、用紙に対する「突き当て用」として切換え的に機能させるための羽根は、各ロール間に所要数配設するものであり（図１４参照）、用紙の折曲げ形態を設定するための重要な部材である。
そして当該羽根は用紙の折曲げ形態に即応させて、送られてくる用紙に対する「突当て用」としての機能形態、または、送られてくる用紙に対する「ガイド用」としての機能形態、と言うような二つの機能を果たすために夫々切換えることが出来るように構成されている。  更にこのような機能の切換設定は、ロールの配列と同様に目的とする紙折り工程に即応させて予め設定しておくものである。
【０００３】
ところで、従来の羽根は上記したような切換え設定を、紙折り機本体から羽根を取り外し、この状態で当該設定換えを行うように構成したものがあった。  然し乍、羽根自体は極めて重いものであり、また、羽根は本体に対して斜め方向に取付ける関係上、その設定のための取外し及び取付け操作は、必然、重労働性が伴うことを余儀なくされた。
【０００４】
このような問題を解決するための手段として、「突当て用」と「ガイド用」の何れかの機能選択を切換え的に行うようにした羽根を供えた紙折り機がある。（例えば特許文献１参照）  これは、図１５乃至図１７に示すように、そのための羽根Ｔとして、矩形状を呈する基枠１の先端全長に亘って、梁杆２に対して所定間隔を保った櫛歯状に夫々取付けた羽先片３…を、紙折り対象とする用紙の導入が図られるような間隙を下面に形成するためにやや浮かせた状態で固定し、さらに、当該基枠１には、適宜の駆動機構を介して前進及び後退できるようにした移動用フレーム体７を取り付け、当該移動用フレーム7には、導入された紙材の端縁を受止めるための突当て面10aを先端に形成して成る突当て板10…を固設すると共に、ガイド体12…を先端に取付けた揺動レバー11…を基端部において起伏自在に枢支し、当該揺動レバー11…には、そのガイド体12を上記突当て板10…の位置より上方に逃がした状態に保持させるためのスプリング11aを取付け、前記突当て板10…とガイド体12…は、前述したように櫛歯状に夫々取付けられている羽先片３…の櫛の歯状空間に対して、これを互いに埋め合うような位置にあるように成し、前記移動用フレーム体７の前進に基づきガイド体12…が前記羽先片３…の櫛の歯状空間内に位置して、用紙の導入を成すための間隙Ｓを閉鎖するように構成したものである。
【０００５】
そして、図１１に示す羽根は、図１６に示すような「ガイド用」としての使用形態から、図１７に示すような「突当て用」としての使用形態に、紙折り機にセットした状態のままで変更可能とするように構成したものである。
【０００６】
上述したような、「突当て用」と「ガイド用」の何れかの機能選択を切換え的に行うようにした羽根の場合、「ガイド用」としての使用時には何等問題は生じないが、「突当て用」としての使用時は、櫛歯状に夫々取付けられている羽先片３…の間に、その歯状空間内に位置するようにガイド体12…が入り込み、これにより用紙の導入を成すための間隙Ｓを閉鎖することとなる。
【０００７】
然し乍、このように「羽先片３…の歯状空間内にガイド体12…が入り込んで間隙Ｓを閉鎖した状態」において、その「突当て用閉鎖用面」は多数の羽先片３…とガイド体12…との噛み合わせ状態のものであるため、すなわち、一枚板の「突き当て面」ではないために、その「突当て用閉鎖用面」にはどうしても「微細な間隙」が生じてしまうこととなる。  そして、このような「微細な間隙」の存在は、これに紙が引っ掛ったり、不測の折れ曲がりを生じたりしてしまうことを余儀なくされた。
【０００８】
上述したような「微細な隙間」の存在に基因して発生する問題の解決化を図った新規の紙折り機として、本件特許と同一発明者にして同一出願人に係る特許出願がある（特許文献２参照）。  これは、図８乃至図１３に示すような構成、すなわち、下記するような構成を具えたものである。
【０００９】
すなわち、「突当て用」と「ガイド用」の何れかの機能選択を切換え的に行うようにした羽根を供えた紙折り機であって、そのための羽根として、
前面部を開口面とする矩形状を呈するフレームＦ内を、上位側レール杆24…と、当該上位側レール杆24…とこれと所定間隔を保って上下に対応する下位側レール杆25…を架設することによって、当該両レール間を紙材受入用間隙Ｓとすると共に、当該両レール24…，25…はフレームＦの横幅方向に所定の案内用溝状間隔Ｐ…を設けた状態で並べて設けることによりスノコ状を呈するように配設し、
当該案内用溝状間隔Ｐ…内に摺動自在に嵌め込むための突当て用爪状片26ａ…を櫛歯状に形成した突当て用桟26を、その各突当て用爪状片26ａ…が、各案内用溝状間隔Ｐ…内に突入された状態でフレームＦの前後方向に移動可能とするように取付けると共に、当該各突当て用爪状片26ａ…は紙材受入用間隙Ｓの下面側に突出させることにより、当該間隙Ｓ内に導かれた紙材に対する突当て可能に臨ませ、
更に、上面側をガイド面29ａとし下面側を回動用カム面29ｂとしかつフレームＦの前端面ほぼ全長に亘るような長さを具えたガイド用軸体29を、当該フレームＦの前端面に回動自在に取り付け、
当該ガイド用軸体29は通常は前記紙材受入用間隙Ｓを開放した状態に位置し、その回転に伴いガイド面29ａでフレームＦの前端面を閉鎖する状態に位置することにより当該紙材受入用間隙Ｓを閉鎖してそのガイド面29ａが「羽根のガイド面」として機能するように構成し、
前記突当て用桟26には操作用突起片30を突設し、当該突当て用桟26をフレームＦの前端寄りに前進させることによる当該操作用突起片30の押圧力に基づき、前記のようなガイド用軸体29を回動させるように構成し、
上記のような構成を具えた羽根を着脱自在に取付けることを特徴とする紙折り機がある。
【００１０】
これは前述したような「羽先片３…の歯状空間内にガイド体12…が入り込んで間隙Ｓを閉鎖する」ように構成せずに、ガイド用軸体29の両端を回動制御レバー32，32に対して固定すると共に、当該回動制御レバー32，32をフレームＦに対して回動自在に枢着することにより、当該ガイド用軸体29の回動が偏心的枢支に基づき前方にやや迫出しながら回動するようにして構成し、もって、「ガイド用」としての使用時、用紙に対する案内が、フレームＦの前端面全長に亘って存在する、繋ぎ目の無い一枚板状の面であるガイド面29ａを具えたガイド用軸体29を介して行い、これにより、既述したような従来の羽根において生じた、ガイド面の「微細な間隙」の存在に基づく、紙が引っ掛ったり、不測の折れ曲がりを生じたりすると言うような問題発生を解消するようにしたものである。
【特許文献１】特開２００６−６２８６７号
【特許文献２】特願２００６−１３５９２６号
【発明の開示】
【発明が解決しようとする課題】
【００１１】
上記した図８乃至図１３に示す従来の紙折り機にあっては、上面側をガイド面(29ａ)とし下面側を回動用カム面(29ｂ)としかつフレーム(Ｆ)の前端面ほぼ全長に亘るような長さを具えたガイド用軸体(29)に対する回転制御を行うための回動制御レバー32が、枢軸32ａを介して回転自在に枢着されるように構成したものであったため（図１１乃至図１３参照）、当該ガイド用軸体(29)が定位置回転を行うものであった。
そのため、ガイド面(29ａ)は単純回転に基づくため、紙材受入用間隙(Ｓ)に対する閉鎖が完全なものとされず、そのため紙折り時に送られた用紙が挟まってしまったりするような問題が生じることとなった。
【００１２】
本発明は、上述したような従来の紙折り機の改良に関するものであり、前記したガイド面29ａに該当する部材が、単純回転ではなく前方に迫出すような偏心的回転を生じさせるようにすることにより、これの回転時に前方に迫出すような作動を生じさせ、もって紙材受入用間隙(Ｓ)に対する閉鎖の完璧化を図り、従来に於いて生じた「微細な隙間」の存在に基因して発生する問題を解決した新規の紙折り機の提供を図ったものである。
【課題を解決するための手段】
【００１３】
本発明は、「突当て用」と「ガイド用」の何れかの機能選択を切換え的に行うようにした羽根を供えた紙折り機であって、そのための羽根として、フレーム(F)に対して、「突当て用」として機能させるための突当て用爪状片(126ａ…)を櫛歯状に形成した突当て用桟(126)を、前後進自在に取付けた紙折り機において、
「ガイド用」として使用した際のガイド面129ａを上面に形成し、「突当て用」として使用した際の受け入用紙の案内面として役割を果すと共に、上記した突当て用桟(126)に取付けた操作用突起片(130，130)による押圧を受けて回動させるための回動用カム面129ｂを形成し、かつフレームＦの前端面ほぼ全長位置亘って位置する長さを具えたガイド用軸体(129)を、
フレームＦの前端の両側部に付設した軸受け片131に制御用横長孔131aを開設し、当該両軸受け片131の夫々の内側に位置させた回動制御レバー132の中央部に設けた枢軸132aを、当該制御用横長孔131aに対して差し込むことによって、当該回動制御レバー132を回転自在にしてかつ横方向に摺動自在に支持すると共に、
前記したガイド用軸体129の両端面の先端寄りに突設した連動用ピン129cを、上記回動制御レバー132の先端寄りに回転自在に枢着し、
更に、上記した回動制御レバー132及びガイド用軸体129には夫々復元用スプリング(133,134)を設け、
上記のような構成を具えた羽根を着脱自在に取付けることを特徴とする紙折り機に係るものである。
【００１４】
そして、本発明は請求項２に記載の構成、すなわち、下記する構成を実施の態様とするものである。
【００１５】
「突当て用」と「ガイド用」の何れかの機能選択を切換え的に行うようにした羽根を供えた紙折り機であって、そのための羽根として、
前面部を開口面とする矩形状を呈するフレーム(Ｆ)内を、上位側レール杆(124…)と、当該上位側レール杆(124…)とに対して所定間隔を保って上下に対応する下位側レール杆(125…)を架設することによって、当該両レール間を紙材受入用間隙(Ｓ)とすると共に、当該両レール(124…，125…)はフレーム(Ｆ)の横幅方向に所定の案内用溝状間隔(Ｐ…)を設けた状態で並べて設けることによりスノコ状を呈するように配設し、
当該案内用溝状間隔(Ｐ…)内に摺動自在に嵌め込むための突当て用爪状片(126ａ…)を櫛歯状に形成した突当て用桟(126)を、その各突当て用爪状片(126ａ…)が、各案内用溝状間隔(Ｐ…)内に突入された状態でフレーム(Ｆ)の前後方向に移動可能とするように取付けると共に、当該各突当て用爪状片(126ａ…)は紙材受入用間隙(Ｓ)の下面側に突出させることにより、当該間隙(Ｓ)内に導かれた紙材に対する突当て可能に臨ませ、
更に、上面側をガイド面(129ａ)とし下面側を回動用カム面(129ｂ)としかつフレーム(Ｆ)の前端面ほぼ全長に亘るような長さを具えたガイド用軸体(129)を、当該フレーム(Ｆ)の前端面部分に後述するような手段に基づき回動かつ前進可能に自在に取り付け、
当該ガイド用軸体(129)は通常は前記紙材受入用間隙(Ｓ)を開放した状態に位置し、その回転に伴いガイド面(129ａ)でフレーム(Ｆ)の前端面を閉鎖する状態に位置することにより当該紙材受入用間隙(Ｓ)を閉鎖してそのガイド面(129ａ)が「羽根のガイド面」として機能するように構成し、
前記突当て用桟(126)には操作用突起片(130)を突設し、当該突当て用桟(126)をフレーム(Ｆ)の前端寄りに前進させることによる当該操作用突起片(130)の押圧力に基づき、前記のようなガイド用軸体(129)を回動させるように構成し、
上記したガイド用軸体(129)の取付け手段として、フレームＦの前端の両側部に付設した軸受け片131に制御用横長孔131aを開設し、当該両軸受け片131の夫々の内側に位置させた回動制御レバー132の中央部に設けた枢軸132aを、当該制御用横長孔131aに対して差し込むことによって、当該回動制御レバー132を回転自在にしてかつ横方向に摺動自在に支持すると共に、前記したガイド用軸体129の両端面の先端寄りに突設した連動用ピン129cを、上記回動制御レバー132の先端寄りに回転自在に枢着し、更に、上記した回動制御レバー132及びガイド用軸体129には夫々復元用スプリング(133,134)を設けるように構成し、
上記のような構成を具えた羽根を着脱自在に取付けることを特徴とする紙折り機。
【発明の効果】
【００１６】
本発明は、請求項１に記載のような構成、すなわち、「突当て用」と「ガイド用」の何れかの機能選択を切換え的に行うようにした羽根を供えた紙折り機であって、そのための羽根として、フレーム(F)に対して、「突当て用」として機能させるための突当て用爪状片(126ａ…)を櫛歯状に形成した突当て用桟(126)を、前後進自在に取付けた紙折り機において、「ガイド用」として使用した際のガイド面129ａを上面に形成し、「突当て用」として使用した際の受け入用紙の案内面として役割を果すと共に、上記した突当て用桟(126)に取付けた操作用突起片(130，130)による押圧を受けて回動させるための回動用カム面129ｂを形成し、かつフレームＦの前端面ほぼ全長位置亘って位置する長さを具えたガイド用軸体(129)を、フレームＦの前端の両側部に付設した軸受け片131に制御用横長孔131aを開設し、当該両軸受け片131の夫々の内側に位置させた回動制御レバー132の中央部に設けた枢軸132aを、当該制御用横長孔131aに対して差し込むことによって、当該回動制御レバー132を回転自在にしてかつ横方向に摺動自在に支持すると共に、前記したガイド用軸体129の両端面の先端寄りに突設した連動用ピン129cを、上記回動制御レバー132の先端寄りに回転自在に枢着し、
更に、上記した回動制御レバー132及びガイド用軸体129には夫々復元用スプリング(133,134)を設け、上記のような構成を具えた羽根を着脱自在に取付けるように構成したから、「突当て用」と「ガイド用」との切換えが、突当て用桟26の摺動移動に基づき達成されることとなる。  従って、当該機能切換えが瞬時に果たされるため、対象紙折りの設定変え作業が極めて簡便かつ迅速に達成される。
更に、「ガイド用」としての使用時、用紙に対する案内は、フレームＦの前端面全長に亘って存在する、繋ぎ目の無い一枚板状の面であるガイド面29ａを具えたガイド用軸体29を介して行われるため、既述したような従来の羽根において生じた、ガイド面の「微細な間隙」の存在に基づく、紙が引っ掛ったり、不測の折れ曲がりを生じたりすると言うような問題発生をよく解消することとなる。
【００１７】
そして本発明は、フレームＦの前端面ほぼ全長位置亘って位置する長さを具えたガイド用軸体(129)を、フレームＦの前端の両側部に付設した軸受け片131に制御用横長孔131aを開設し、当該両軸受け片131の夫々の内側に位置させた回動制御レバー132の中央部に設けた枢軸132aを、当該制御用横長孔131aに対して差し込むことによって、当該回動制御レバー132を回転自在にしてかつ横方向に摺動自在に支持すると共に、前記したガイド用軸体129の両端面の先端寄りに突設した連動用ピン129cを、上記回動制御レバー132の先端寄りに回転自在に枢着し、  更に、上記した回動制御レバー132及びガイド用軸体129には夫々復元用スプリング(133,134)を設けるように構成したから、ガイド用軸体(129)を、極めて安定した状態での前方への迫出し的回動作動が果され、図７に示す従来例のように「回転軸が定位置で、全体を扇状に回転させるようにしたもの」の場合に生じた迫出し作動の不安定性及び遅延性が解消され、極めて迅速にして安定した「回動かつ迫出し」の転移運動が達成される。
すなわち、図７に示す従来例の場合、前記のように扇状回転のため、その回転中に周囲の部品と干渉する（接触してしまう）部位が生じるため、これを回避するために干渉する部位を削り取った形状としなければ成らないと言う制約性が存在した。  そして、このような削り取った部位を補完するために、図７に示す部品Ｔを設ける必要が生じ、その結果、フレームＦの前端が二部品で形成され、結局、完全に繋ぎ目のない一枚板とすることができなかった。
これに対して本考案は、上記のような「回動かつ迫出し」の転移運動を生じさせるように構成したから、従来に於いては必要不可欠とした「部品Ｔ」の存在を廃することができ、これにより上記のような従来の問題が全く解消されることとなる。
【００１８】
本発明は、請求項２に記載のような構成、すなわち、「突当て用」と「ガイド用」の何れかの機能選択を切換え的に行うようにした羽根を供えた紙折り機であって、そのための羽根として、
前面部を開口面とする矩形状を呈するフレームＦ内を、上位側レール杆24…と、当該上位側レール杆24…とこれと所定間隔を保って上下に対応する下位側レール杆25…を架設することによって、当該両レール間を紙材受入用間隙Ｓとすると共に、当該両レール24…，25…はフレームＦの横幅方向に所定の案内用溝状間隔Ｐ…を設けた状態で並べて設けることによりスノコ状を呈するように配設し、
当該案内用溝状間隔Ｐ…内に摺動自在に嵌め込むための突当て用爪状片26ａ…を櫛歯状に形成した突当て用桟26を、その各突当て用爪状片26ａ…が、各案内用溝状間隔Ｐ…内に突入された状態でフレームＦの前後方向に移動可能とするように取付けると共に、当該各突当て用爪状片26ａ…は紙材受入用間隙Ｓの下面側に突出させることにより、当該間隙Ｓ内に導かれた紙材に対する突当て可能に臨ませ、
更に、上面側をガイド面29ａとし下面側を回動用カム面29ｂとしかつフレームＦの前端面ほぼ全長に亘るような長さを具えたガイド用軸体29を、当該フレームの前端面に回動自在に取り付け、
当該ガイド用軸体29は通常は前記紙材受入用間隙Ｓを開放した状態に位置し、その回転に伴いガイド面29ａでフレームＦの前端面を閉鎖する状態に位置することにより当該紙材受入用間隙Ｓを閉鎖してそのガイド面29ａが「羽根のガイド面」として機能するように構成し、
前記突当て用桟26には操作用突起片30を突設し、当該突当て用桟26をフレームＦの前端寄りに前進させることによる当該操作用突起片30の押圧力に基づき、前記のようなガイド用軸体29を回動させるように構成し、
上記のような構成を具えた羽根を着脱自在に取付けたるようにすることにより、全体がコンパクトにして極めて安定した作動を呈することとなると同時に、請求項１で述べた場合と同様の作用効果を奏することとなる。
【発明を実施するための最良の形態】
【００１９】
先ず本発明に於ける基本的従来例を説明する。
図１４は既存の紙折り機を表したものであり、Ａは基台、Ｂは基台Ａの一側に設けた紙供給機構部、Ｄは基台Ａに設けられている紙折り用ロール機構部Ｃに臨ませた羽根機構部であって、当該ロール機構部Ｃと共同して紙折り工程を司るものである。  Ｅは基台Ａの他側に設けた紙折り済み紙材の取出し機構である。
【００２０】
同図において、折曲げ対象とする紙材は、紙供給機構部Ｂから、紙折りロール機構部Ｃ及び羽根機構部Ｄに送られると共に、ここで所定の紙折り行程が施された後、取出し機構部Ｅを経て他の工程に送られるように構成してある。
【００２１】
また、上記紙供給機構部Ａを経て紙折りロール機構部Ｂに送られてくる紙材は、その所定のロールを介して案内され、羽根機構部Ｄにおける「突当て用」としての転化状態にある羽根d1内に導かれる共に、当該紙折り用羽根d1内に収装されている突当て板に当たってこれ以上の進入が阻止される。
上記進入が阻止された紙材はロールの回転に基づき折り曲げられ、その折曲げ縁が突き当て機構Ｄにおける「ガイド用」としての転化状態にある羽根d2の先端ガイド面に当たって案内されることに依り、当該紙材に対する折曲げ作用が奏されるように構成されている。
【００２２】
なお、上記した紙折りロール配設機構部Ｃであるが、これは所要段数のロールの配設に基づき、四つ折りまたは八つ折り等、送られてくる紙材に対する所定の紙折りが施されるものであるが、図１４に於いては分かり易くするために、最小段数のロールに省略して示してある。  そして同様に、羽根機構部Ｄも分かり易くするために最小単位のものに省略して示してある。
【００２３】
すなわち、上記した羽根機構部Ｄは、紙材に対する送り込まれる部分の長さを所定長さに規制するように適宜設定した「突き当て用羽根d1」と、当該突き当てに基づき折り曲げられる紙材の折曲げ端をそのガイド面で受止めてこれの折曲げを成すように設定した「ガイド用羽根d2」とを対として一単位とし、これを折曲げ形態に応じて所要単位数設けるものであるが、同図に於いてはこれを省略して最小単位数だけを表してある。  なお、図示の羽根d1,d2は一般的な従来例の羽根である。
【００２４】
ところで、上記した「突当て用」として機能させる羽根d1と、「ガイド用」として機能する案内機能用羽根d2とは同一構造のものを用い、当該両機能は所定の切換処理を施すことにより、夫々の目的の羽根として使用することができるように構成してある。  そして、このような構成を採ることは従来から行われている。  然し乍、このような構成のものであると、その切換え設定を、紙折り機本体から羽根を取り外し、この状態で当該設定換えを行うものである。  そして、羽根自体は極めて重いものであり、また、羽根は本体に対して斜め方向に取付ける関係上、その設定のための取外し及び取付け操作は、必然、重労働性が伴うことを余儀なくされるというような問題が伴った。
【００２５】
そして、このような問題の解消を図ったものとして、図１５〜図１７に示すように構成した従来の羽根がある（特許文献１として示す紙折り機の羽根）。  然し乍、この場合は、既述したように、「羽先片３…の歯状空間内にガイド体12…が入り込んで間隙Ｓを閉鎖した状態」において、その閉鎖面は多数の羽先片３…とガイド体12…との噛み合わせ状態のものであるため、一枚板のものとは異なり、どうしてもその閉鎖用面には微細な間隙が生じてしまうこととなる。  そして、このような微細な間隙に紙が引っ掛ったり、不測の折れ曲がりを生じたりしてしまうというような問題が生じることを余儀なくされた。
【００２６】
次に、本発明の改良対象とする従来例を説明する。
すなわち、上記した問題を解決した紙折り機の羽根としては、図８乃至図１３に示す羽根がある。  これは特許文献２として示す本特許と同一発明者にして同一出願人によるものであり、下記のような構成を具えたものである。
【００２７】
図８乃至図１３において、Ｆは羽根を構成するフレームであって、側面枠杆20，20と、背面枠杆21と、下枠杆22ａに対して所定空間を設けて対向する帯状上板22ｂで構成する前枠とで、矩形状に形成されている。  23は当該帯状上板22ｂ上に取付けた補強杆であって、下記する上位側レール杆24…をその下面を浮かせた状態で取り付けるように構成してある。
【００２８】
また、当該フレームＦの内部は、図８、図１２、図１３に示すように、上位側レール杆24…と、当該上位側レール杆24…と、これと所定間隔を保って上下に対応する下位側レール杆25…を架設することによって、当該両レールの間を紙材受入用間隙Ｓ（図１２及び図１３参照）とするように構成してある。  そして、両レール24…，25…はフレームＦの横幅方向に所定の案内用溝状間隔Ｐ…を設けた状態で並べることに依ってスノコ状を呈するように配設されている（図８及び図９参照）。  
【００２９】
26は突当て用桟であって、上記した案内用溝状間隔Ｐ…内に摺動自在に嵌め込むための突当て用爪状片26ａ…を櫛歯状に形成してある。  そして、当該突当て用桟26は、その各突当て用爪状片26ａ…を各案内用溝状間隔Ｐ…内に突入させた状態で、フレームＦの前後方向に移動可能とするように取付けてある。  更に、当該突当て用爪状片26ａ…の下端は図５及び図６に示すように、紙材受入用間隙Ｓの下面側に突出させることにより、当該紙材受入用間隙Ｓ内に導かれた紙材の前端縁が衝接し当該紙材に対する突き当て作用を呈するように構成してある。
【００３０】
）
上記した突当て用桟26はモータＭの駆動力に基づきその前後進が行われるように構成してある。  なお、当該駆動は無端チェーン、無端ベルト、係合歯車等適宜の連動機構を介して行われるものであるが、当該連動機構は既存の常套手段に依存するものであるため、当該連動機構の細部構成は図面に於いては省略してある。   また、モータＭを設けることなくハンドル操作等手動的にその前後進運動を行わせるように構成しても良い。
【００３１】
27は下面側ガイド板であって、フレームＦの前端縁に下側に位置するように前記下枠杆22ａに対して取付けてある（図５及び図６参照）。  28は上側ガイド板であって、フレームＦの前端縁上側に位置するように前記帯状上板22ｂに対して取付けてある（図１２及び図１３参照）。
【００３２】
29はフレームＦの前端面ほぼ全長位置亘って位置する長さを具えたガイド用軸体であって、その上面側には、羽根を「ガイド用」として使用した際のガイド面29ａを形成してある。  そして当該ガイド用軸体29の下面側には、羽根を「突当て用」として使用した際の受け入用紙の案内面として役割を果すと共に下記する操作用突起片30，30による押圧に基づく回動を司るための回動用カム面29ｂが形成してある（図５及び図６参照）。  そして、当該ガイド用軸体29は後述するようにしてフレーム29に対して、前方に迫出しながら回動させられ、これにより、今迄開いた状態にあつたガイド面29ａが転移して、当該ガイド面29ａでフレームＦの前端面全体を閉じた状態に保ち、これにより、羽根が「ガイド用」としての使用状態に転化されるように構成してある。  
【００３３】
30，30は既述した突当て用桟26の前端縁中央部にしてかつ案内用溝状間隔Ｐ内に位置すると共に紙材受入用間隙Ｓより上方に位置する部分に取付けた操作用突起片であって、当該突当て用桟26を最前方に位置させた際、その前端に形成したカム面30ａが、前記したガイド用軸体29のカム面29ｂに接触して、これを図５に示す状態から図６に示す状態に回動させるように構成してある。
【００３４】
そして、ガイド用軸体29の前記したようなフレームＦに対して、前方に迫出しながら回動させるような支持であるが、これは下記のように構成されている。
【００３５】
31はフレームＦの前端の両側部に付設した軸受け片であって、回動制御レバー32が枢軸32ａを介して回転自在に枢着されている（図３及び図４参照）。  そして、前記したガイド用軸体29は当該回動制御レバー32に対してピン29ｃ，29ｄを介して固定されている。  すなわち、当該ガイド用軸体29は、その両端部に於いて回動制御レバー32に固定されており、当該ガイド用軸体29に対して前記操作用突起片30，30による押圧力が働いた際、当該ガイド用軸体29はその中心を外れた部分で軸支している（回動制御レバー32の）枢軸32ａにおいて回転せられるため、すなわち、一種の偏心的回転が生じるため、当該回動制御レバー32は図１２から図１３に示すような前方に迫出しながら回転すると言うような作動が得られることとなる。
【００３６】
33は上記した回動制御レバー32に引っ掛けたスプリングであって、当該回動制御レバー32を、これに取り付けてあるガイド用軸体29が開いた状態（図１２に示す状態）での安定化を図るためのものである。
【００３７】
今、図８に示すように、突当て用桟26がフレームＦの後方所定の位置に停止させられた状態に於いては、羽根は「突当て用」として機能することとなる。  すなわち、羽根における紙材受入用間隙Ｓから導かれた用紙は、当該突当て用桟26に櫛歯状に設けられている突当て用爪状片26ａ…に当たり、これ以上の前進を阻止することとなるわけである。  なお、当該突当て位置の設定は、突当て用桟26を適宜に前進または後進させることによってその決定を行うものである。
【００３８】
次に羽根を「ガイド用」として機能させたい場合は、前記した突当て用桟26をほぼ一杯に前進させることにより、これに取付けられている操作用突起片30，30のカム面30ａで、ガイド用軸体29のカム面29ｂに対して押圧突進させて当該ガイド用軸体29の下面側に滑り込ませることにより、当該当該ガイド用軸体29を図１２に示す状態から図１３に示す状態となるように回動させる。  これにより、ガイド用軸体29は既述した作動に基づき前方に迫出しながら回動して、そのガイド面29ａで羽根の前面を閉鎖することとなり（図１３に示す状態）、送られてくる用紙は当該ガイド面29ａに突き当たり、設定方向にガイドされることとなる。
【００３９】
「ガイド用」としての機能形態から「突当て用」としての機能形態に設定をもどす場合は、突当て用桟26を後退させることにより、上記の逆作動に基づき達成される。
【００４０】
本発明は上記したような構成を備えた従来の羽根に於いて生じた、ガイド面29ａは単純回転に基づくため、紙材受入用間隙Ｓに対する閉鎖が完全なものとされず、微小な間隙が生じ、そのため紙折り時に送られた用紙が挟まってしまったりするような問題点の解消化を企図し、当該部分の改良を図ったものである。
【００４１】
以下、本発明に係る改良構造に関して詳細に説明する。
【００４２】
図１乃至図５は本発明に係る羽根を表したものである。  そして羽根の基本形態は既述した図８乃至図１３に示すものとほぼ同様な形態を採るものである。
【００４３】
図１乃至図５において、Ｆは羽根を構成するフレームであって、側面枠杆120，120と、背面枠杆121と、下枠杆122ａに対して所定空間を設けて対向する帯状上板122ｂで構成する前枠122とで、平面矩形枠を呈するように形成されている。  123は当該帯状上板122ｂ上に取付けた補強杆である。  そして、下記する上位側レール杆124…はその下面を浮かせた状態で当該帯状上板122ｂの下面側に取り付けるように構成してある。
【００４４】
また、当該フレームＦの内部は、上位側レール杆124…と、当該上位側レール杆124…に対して所定間隔を保って上下に対応する下位側レール杆125…を架設することによって、当該両レールの間を紙材受入用間隙Ｓとするように構成してある。  そして、両レール124…，125…はフレームＦの横幅方向に所定の案内用溝状間隔Ｐ…を設けた状態で並べることに依ってスノコ状を呈するように配設されている。  
【００４５】
126は突当て用桟であって、上記した案内用溝状間隔Ｐ…内に摺動自在に嵌め込むための突当て用爪状片126ａ…を櫛歯状に形成してある。  そして、当該突当て用桟126は、その各突当て用爪状片126ａ…を各案内用溝状間隔Ｐ…内に突入させた状態で、フレームＦの前後方向に移動可能とするように取付けてある。  更に、当該突当て用爪状片126ａ…の下端は紙材受入用間隙Ｓの下面側に突出させることにより、当該紙材受入用間隙Ｓ内に導かれた紙材の前端縁が衝接し当該紙材に対する突き当て作用を呈するように構成してある。
【００４６】
上記した突当て用桟126はモータＭの駆動力に基づきその前後進が行われるように構成してある。  なお、当該駆動は無端チェーン、無端ベルト、係合歯車等適宜の連動機構を介して行われるものであるが、当該連動機構は既存の常套手段に依存するものであるため、当該連動機構の細部構成は図面に於いては省略してある。   また、モータＭを設けることなくハンドル操作等手動的にその前後進運動を行わせるように構成しても良い。
【００４７】
127は下面側ガイド板であって、フレームＦの前端縁に下側に位置するように前記下枠杆122ａに対して取付けてある。
【００４８】
上記したような構成は、前前述した従来例（図８乃至図１３に示す従来例）と殆ど共通する構成に属し、本発明は以下で述べる構成をその改良点とするものである。
【００４９】
129はフレームＦの前端面ほぼ全長位置亘って位置する長さを具えたガイド用軸体であって、図２に於いてその上面側に位置する部分は、羽根を「ガイド用」として使用した際のガイド面129ａを形成してある。  そして当該ガイド用軸体129の下面側には、羽根を「突当て用」として使用した際の受け入用紙の案内面として役割を果すと共に下記する操作用突起片130，130による押圧に基づく回動を司るための回動用カム面129ｂが形成してある。  そして、当該ガイド用軸体129は後述するようにしてフレームＦに対して、前方に迫出しながら回動させられ、これにより、今迄開いた状態にあつたガイド面129ａが転移して、当該ガイド面129ａでフレームＦの前端面全体を閉じた状態に保ち、これにより、羽根が「ガイド用」としての使用状態に転化されるように構成してある。  
【００５０】
130，30は既述した突当て用桟126の前端縁中央部にしてかつ案内用溝状間隔Ｐ内に位置すると共に紙材受入用間隙Ｓより上方に位置する部分に取付けた操作用突起片であって、当該突当て用桟126を最前方に位置させた際、その前端に形成したカム面130ａが、前記したガイド用軸体129のカム面129ｂに接触して、これを図３に示す状態から図４に示す状態に回動させるように構成してある。
【００５１】
そして、ガイド用軸体129の前記したようなフレームＦに対して、前方に迫出しながら回動させるような支持であるが、これは下記のように構成されている。
【００５２】
これは図２に示すように、フレームＦの前端の両側部に付設した軸受け片131に制御用横長孔131aを開設し、当該両側部の軸受け片131の夫々の内側に位置させた
回動制御レバー132を、当該回動制御レバー132の中央部に設けた枢軸132aを、当該制御用横長孔131aに対して差し込むことによって、横方向(前後方向)に摺動自在にしてかつ回転自在に支持させてある。
【００５３】
更に、前記したガイド用軸体129の両端面の先端寄りに突設した連動用ピン129cを、上記した回動制御レバー132の先端寄りに回転自在に枢着してある。
【００５４】
133は上記した回動制御レバー132に引っ掛けたスプリングであって、当該回動制御レバー32を、これに取り付けてあるガイド用軸体129が開いた状態（図２及び図３に示す状態）での安定化を図るためのものである。
【００５５】
134は上記したガイド用軸体129に引っ掛けたスプリングであって、当該ガイド用軸体129の復元を図るためのものである。
【００５６】
前記したガイド用軸体129は回動制御レバー132に対してピン連動用ピン129c を介して連動可能に連結されており、従って、当該ガイド用軸体129が、操作用突起片130のカム面130ａで押された際、当該ガイド用軸体129は図４矢印で示す方向に回転させられると同時に、当該ガイド用軸体129の支持は、前後進かつ回転自在に支持されている回動制御レバー132に対して成されているため、前記操作用突起片130に依る押圧力は、ガイド用軸体129に対する上記のような回転を生じさせると共に、これを前方に前進させるような力として作用することとなる。  すなわち、図６に矢印で示すように回動制御レバー132が横方向に移動しながら回転するため、これに取付けられているガイド用軸体129も回転しながら前方に前進することとなる。  これは図７に示す従来例の場合における回転軸が定位置で、全体を扇状に回転させるようにしたものとの大きな相違点である。
【００５７】
すなわち、当該ガイド用軸体129は図３に示す状態から図４に示すような状態への変位、すなわち、回転しながらの前進及び回転作動が行われることとなる。  これにより、本発明に係る羽根は、「突当て用」から「ガイド用」の転化が完了する。  なお、この状態に於いて前記した両スプリング133,134は引っ張られた状態となり、操作用突起片130の戻り、すなわち、突当て用桟126を復元させた際に、協同してガイド用軸体129と回動制御レバー132を元位置に復帰させるような力として作用することとなる。
【図面の簡単な説明】
【００５８】
【図１】本発明に係る紙折り機の要部とする羽根を表した斜視図である。
【図２】図１に示すＸ部分を拡大して示す要部の斜視図である。
【図３】本発明の要部を表した説明用側面図である。
【図４】羽根を「ガイド用」としての転換させる直前の状態を表した要部の説明用拡大断面図である。
【図５】羽根を「ガイド用」としての転換させた状態を表した要部の説明用拡大断面図である。
【図６】本発明の作動を表した説明用略図である。
【図７】従来例の作動を表した説明用略図である。
【図８】本発明の対象とする改良前の羽根を表した斜視図である。
【図９】同上その要部を表した平面図である。
【図１０】図９に円弧で囲った部分の説明用拡大平面図である。
【図１１】本発明の対象とする改良前の羽根におけるガイド用軸体29に対する偏心的支持形態を表した説明用側面図である。
【図１２】同上羽根を「ガイド用」としての転換させる直前の状態を表した要部の説明用拡大断面図である。
【図１３】同上羽根を「ガイド用」としての転換させた状態を表した要部の説明用拡大断面図である。
【図１４】従来の紙折り機の要部を表した説明用正面図である。
【図１５】従来の羽根を表した斜視図である。
【図１６】同上「突当て用」とした状態を表した要部の縦断側面図である。
【図１７】同上「ガイド用」とした状態を表した要部の縦断側面図である。
【符号の説明】
【００５９】
Ａ  基台
Ｂ  紙供給機構部
Ｃ  紙折り用ロール機構部
Ｄ  羽根機構部
d1  突き当て用羽根
d2  ガイド用羽根
Ｅ  紙折り済み紙材の取出し機構部
Ｔ  羽根
Ｆ  フレーム
120  側面枠杆
121  背面枠杆
122   前枠
122a  下枠杆
122b  帯状上板
123   補強杆
124   上位側レール杆
125   下位側レール杆125
126   突当て用桟
126a  突当て用爪状片
Ｍ    モータ
127   下面側ガイド板
129   ガイド用軸体
129a  ガイド面
129b  回動用カム面
129c  連動用ピン
130   操作用突起片
130a  カム面
Ｓ    紙材受入用間隙
131   軸受け片
131a  制御用横長孔
132   回動制御レバー
132a  枢軸
133   スプリング
134   スプリング
【図１】
2009120349.tif 000003
【図２】
2009120349.tif 000004
【図３】
2009120349.tif 000005
【図４】
2009120349.tif 000006
【図５】
2009120349.tif 000007
【図６】
2009120349.tif 000008
【図７】
2009120349.tif 000009
【図８】
2009120349.tif 000010
【図９】
2009120349.tif 000011
【図１０】
2009120349.tif 000012
【図１１】
2009120349.tif 000013
【図１２】
2009120349.tif 000014
【図１３】
2009120349.tif 000015
【図１４】
2009120349.tif 000016
【図１５】
2009120349.tif 000017
【図１６】
2009120349.tif 000018
【図１７】
2009120349.tif 000019